(57)【要約】【課題】  コンタクトの接触部が異方向に押されても、接触部が塑性変形されるのを防止する。【解決手段】  コンタクト２をハウジング３内に収容する。コンタクト２は、端子部５と、この端子部に連設してハウジング３に保持させる保持部６と、接触部９と、保持部６と接触部９の間を連結する弾性変形部１０とを備えている。弾性変形部１０は保持部６との連結側を第１湾曲部１１とし、接触部９との連結側を第２湾曲部１２とした略Ｓ字状に形成する。接触部９の先の自由端側に第２湾曲部１２の方向に向けて屈曲部１３を設ける。屈曲部１３の先端の幅方向の両側には直交する向きでコンタクト引っ掛け部１４を突設する。ハウジング３の前面開口部１７から接触部９を外に突出させる。前面開口部１７の幅方向の両側でハウジング３の前面３ａの裏面に、各コンタクト引っ掛け部１４の所定範囲以上の移動を阻止するストッパー部２２を突設する。【選択図】    図２
2008166198.tif 000002
【特許請求の範囲】
【請求項１】
コンタクト（２）と、このコンタクトを収容するハウジング（３）とで構成され、前記コンタクト（２）は、端子部（５）と、この端子部に連設されていて前記ハウジング（３）に保持される保持部（６）と、接触部（９）と、前記保持部（６）と前記接触部（９）の間を連結する弾性変形可能な弾性変形部（１０）とを具備し、前記弾性変形部（１０）は前記保持部（６）との連結側を第１湾曲部（１１）とし、前記接触部（９）との連結側を第２湾曲部（１２）とした略Ｓ字状に形成され、前記第２湾曲部（１２）の先に設けられている前記接触部（９）の先の自由端側には前記第２湾曲部（１２）の方向に向けて屈曲部（１３）が設けられ、前記屈曲部（１３）の先端の幅方向の両側には直交する向きでコンタクト引っ掛け部（１４）が突設され、前記ハウジング（３）は下部が開口部（１５）、内部にコンタクト収容室（１６）、前部に前面開口部（１７）が設けられ、前記前面開口部は前記ハウジング（３）の下部から上部に向けて設けられ、前記コンタクト（２）は前記保持部（６）から前記第２湾曲部（１２）までの間の部分が前記開口部（１５）から前記コンタクト収容室（１６）内に収容され、前記接触部（９）が前記前面開口部（１７）から外に露出され、前記コンタクト引っ掛け部（１４）は前記前面開口部（１７）の幅方向の両側で前記ハウジング（３）の前面（３ａ）における裏面側に存在していて、前記接触部（９）がさらに前に出ないように前記各コンタクト引っ掛け部（１４）が前記ハウジング（３）の前記前面（３ａ）の裏面で抜け止めされている構造のコネクタであって、
前記前面開口部（１７）の幅方向の両側で前記ハウジング（３）の前記前面（３ａ）の裏面には、前記各コンタクト引っ掛け部（１４）の所定範囲以上の前記ハウジング（３）の前記前面（３ａ）に沿った移動を阻止するストッパー部（２２）がそれぞれ突設されていることを特徴とするコネクタ。
【請求項２】
前記接触部（９）の裏面には、補強用突条（９ａ）が前記接触部（９）の先端の折り返しの部分から前記屈曲部（１３）の箇所を含めて前記接触部（９）の両側の部分にも設けられていることを特徴とする請求項１に記載のコネクタ。
【請求項３】
前記各ストッパー部（）には、前記開口部（１５）側から前記コンタクト収容室（１６）内への前記コンタクト（２）の収容時に前記各コンタクト引っ掛け部（１４）をスライドさせる傾斜面（２２ａ）が設けられていることを特徴とする請求項１に記載のコネクタ。
【発明の詳細な説明】
【技術分野】
【０００１】
本発明は、デジタルカメラや携帯電話機等の電気機器に取り付けられて、バッテリーパックのような相手側電気機器との接続用に用いられるコネクタに関するものである。
【背景技術】
【０００２】
従来のこの種のコネクタ１は、図６及び図７に示す構造であった。このコネクタ１は、導電性弾性材よりなるコンタクト２と、このコンタクト２を収容する絶縁材よりなるハウジング３とで構成されていて、デジタルカメラのプリント配線基板４に取り付けられるようになっている。コンタクト２は、プリント配線基板４の図示しない導電路に接続される端子部５と、この端子部５に直交する向きで連設されていてハウジング３に保持される保持部６と、バッテリーパック７の電極部８の押圧でこの電極部８に接触する接触部９と、保持部６と接触部９の間を連結する弾性変形可能な弾性変形部１０とを具備している。弾性変形部１０は、保持部６との連結側を第１湾曲部１１とし、接触部９との連結側を第２湾曲部１２とした略Ｓ字状に形成されている。第２湾曲部１２の先に設けられている接触部９の先の自由端側には、第２湾曲部１２の方向に向けて屈曲部１３が設けられている。屈曲部１３の先端の幅方向の両側には、直交する向きでコンタクト引っ掛け部１４が突設されている。ハウジング３は、下部が開口部１５、内部にコンタクト収容室１６、前部に前面開口部１７となっている。前面開口部１７は、ハウジング３の下部から上部に向けて設けられている。前面開口部１７の前面の両側縁には、へたり防止用突起１８がそれぞれ突設されている。ハウジング３の底面には、複数の位置決め突起１９が突設されていて、プリント配線基板４の図示しない孔に嵌められてプリント配線基板４に対してコネクタ１が位置決めされるようになっている。コンタクト２は、保持部６から第２湾曲部１２までの間の部分が開口部１５からコンタクト収容室１６内に収容され、接触部９が前面開口部１７から外に露出されている。端子部５もハウジング３の下部からハウジング３の後方に露出されている。コンタクト引っ掛け部１４は、各へたり防止用突起１８の箇所でハウジング３の前面３ａにおける裏面側に存在していて、接触部９がさらに前に出ないように各コンタクト引っ掛け部１４がハウジング３の前面３ａの裏面で抜け止めされている。本例では、ハウジング３にはその前面から見て所定間隔でコンタクト収容室１６と前面開口部１７とが３カ所に設けられ、それぞれにコンタクト２が収容されている。
【特許文献１】特開２００５−１２９３７４号公報
【発明の開示】
【発明が解決しようとする課題】
【０００３】
しかしながら、このような構造のコネクタ１では、図７に示すように、ハウジング３の前面に存在するバッテリー収容室２０に天井側より物体２１が挿入されて接触部９が下向きに押された場合、図８に示すように、接触部９が変形して塑性変形してしまう問題点があった。
【０００４】
本発明は上記の問題点に鑑みなされたもので、バッテリー収容室に天井側より物体が挿入されてコンタクトの接触部が異方向に押されても、接触部が塑性変形されるのを防止できるコネクタを提供することにある。
【課題を解決するための手段】
【０００５】
請求項１に記載の発明は、コンタクトと、このコンタクトを収容するハウジングとで構成され、前記コンタクトは端子部と、この端子部に連設されていて前記ハウジングに保持される保持部と、接触部と、前記保持部と前記接触部の間を連結する弾性変形可能な弾性変形部とを具備し、前記弾性変形部は前記保持部との連結側を第１湾曲部とし、前記接触部との連結側を第２湾曲部とした略Ｓ字状に形成され、前記第２湾曲部の先に設けられている前記接触部の先の自由端側には前記第２湾曲部の方向に向けて屈曲部が設けられ、前記屈曲部の先端の幅方向の両側には直交する向きでコンタクト引っ掛け部が突設され、前記ハウジングは下部が開口部、内部にコンタクト収容室、前部に前面開口部が設けられ、前記前面開口部は前記ハウジングの下部から上部に向けて設けられ、前記コンタクトは前記保持部から前記第２湾曲部までの間の部分が前記開口部から前記コンタクト収容室内に収容され、前記接触部が前記前面開口部から外に露出され、前記コンタクト引っ掛け部は前記前面開口部の幅方向の両側で前記ハウジングの前面における裏面側に存在していて、前記接触部がさらに前に出ないように前記各コンタクト引っ掛け部が前記ハウジングの前記前面の裏面で抜け止めされている構造のコネクタであって、前記前面開口部の幅方向の両側で前記ハウジングの前記前面の裏面には、前記各コンタクト引っ掛け部の所定範囲以上の前記ハウジングの前記前面に沿った移動を阻止するストッパー部がそれぞれ突設されていることを特徴とする。
【０００６】
請求項２に記載の発明は、請求項１において、前記接触部の裏面には、補強用突条が前記接触部の先端の折り返しの部分から前記屈曲部の箇所を含めて前記接触部の両側の部分にも設けられていることを特徴とする。
【０００７】
請求項３に記載の発明は、請求項１において、前記各ストッパー部には、前記開口部側から前記コンタクト収容室内への前記コンタクトの収容時に前記各コンタクト引っ掛け部をスライドさせる傾斜面が設けられていることを特徴とする。
【発明の効果】
【０００８】
本発明に係るコネクタでは、ハウジングの前面開口部の幅方向の両側でこのハウジングの前面の裏面に、コンタクトの各コンタクト引っ掛け部の所定範囲以上の移動を阻止するストッパー部がそれぞれ突設されているので、バッテリー収容室に天井側より物体が挿入されてコンタクトの接触部が押されても、各コンタクト引っ掛け部が所定範囲以上移動するとストッパー部に当たって停止し、このためコンタクトの接触部が塑性変形されるのを防止することができる。
【０００９】
接触部の裏面に補強用突条を、接触部の先端の折り返しの部分から屈曲部の箇所を含めて接触部の両側の部分にも設けると、接触部の機械的強度が増加し、天井側よりの物体で押圧されても接触部の異常な変形を防止することができる。
【００１０】
各ストッパー部に、ハウジングの開口部側からコンタクト収容室内へコンタクトを収容する時に各コンタクト引っ掛け部をスライドさせる傾斜面が設けられていると、各コンタクト引っ掛け部が傾斜面でスライドして支障なくコンタクトをコンタクト収容室内へ収容することができる。
【発明を実施するための最良の形態】
【００１１】
以下、本発明に係るコネクタを実施するための最良の形態を、図面を参照して詳細に説明する。
【００１２】
図１乃至図５は本発明に係るコネクタの実施例を示したもので、図１は本例のコネクタの正面図、図２は図１のＡ−Ａ線断面図、図３（Ａ）は本例で用いるコンタクトの正面図、図３（Ｂ）は図３（Ａ）の左側面図、図３（Ｃ）は図３（Ａ）の右側面図、図３（Ｄ）は図３（Ａ）の平面図、図４（Ａ）は本例で用いるハウジングの正面図、図４（Ｂ）は図４（Ａ）の平面図、図４（Ｃ）は図４（Ａ）の底面図、図４（Ｄ）は図４（Ａ）のＢ−Ｂ線断面図、図５は本例のコネクタの動作説明図である。なお、本実施例では、前述した図６及び図７と対応する部分には同一符号を付けて示している。
【００１３】
本例のコネクタ１で用いるコンタクト２においては、図３（Ａ）〜（Ｄ）に示すように、保持部６、弾性変形部１０、接触部９の順でその幅が狭くなっている。本例でも、第２湾曲部１２の先に設けられている接触部９の先の自由端側には、第２湾曲部１２の方向に向けて屈曲部１３が設けられている。屈曲部１３の先端の幅方向の両側には、直交する向きでコンタクト引っ掛け部１４が突設されている。
【００１４】
特に本例では、図２及び図４（Ａ）〜（Ｄ）に示すように、前面開口部１７の幅方向の両側でハウジング３の前面３ａの裏面には、各コンタクト引っ掛け部１４の所定範囲以上のハウジング３の前面３ａの裏面に沿った移動を阻止するストッパー部２２がそれぞれ突設されている。各ストッパー部２２には、ハウジング３の開口部１５側からコンタクト収容室１６内へのコンタクト２を収容する時に各コンタクト引っ掛け部１４をスライドさせる傾斜面２２ａが設けられている。
【００１５】
端子部５及び接触部９の幅方向の中央には、補強用突条（ビード）５ａ及び９ａがそれぞれ設けられている。端子部５の補強用突条５ａは、プリント配線基板４に接続を行う下面が平らで、その反対側の上面が凸となるように設けられている。接触部９の補強用突条９ａは接続相手に接触を行わせる正面が平らで、その反対側の裏面が凸となるように設けられている。接触部９の補強用突条９ａは、接触部９の先端の折り返しの部分から屈曲部１３の箇所を含めて接触部９の両側の部分にも設けられている。保持部６の幅方向の両側には、この保持部６をハウジング３に固定するための突起６ａが突設されている。第１湾曲部１１と第２湾曲部１２との間の弾性変形部１０の幅方向の両側には、変位規制用突起２３が突設されている。
【００１６】
本例のコネクタ１で用いるハウジング３においては、図４（Ａ）〜（Ｃ）に示すように、コンタクト収容室１６は前面開口部１７に対して奥側は幅狭室１６ａ、手前側は幅広室１６ｂとなっていて、両室１６ａ，１６ｂの境界には段部１６ｃが設けられている。幅狭室１６ａの最奥部には、幅方向の両側に固定溝２４がそれぞれ設けられている。これら固定溝２４には、コンタクト２をコンタクト収容室１６に収容する際に、保持部６を圧入して、その幅方向の両側の突起６ａでコンタクト２が抜け止め固定されている。
【００１７】
このようなコネクタ１では、ハウジング３の前面開口部１７の幅方向の両側でこのハウジング３の前面３ａの裏面に、コンタクト２の各コンタクト引っ掛け部１４の所定範囲以上の移動を阻止するストッパー部２２がそれぞれ突設されているので、図５に示すように、バッテリー収容室１６に天井側より物体２１が挿入されてコンタクト２の接触部９が異方向に押されても、各コンタクト引っ掛け部１４が所定範囲以上移動するとストッパー部２２に当たって停止し、このためコンタクト２の接触部９が塑性変形されるのを防止することができる。
【００１８】
この場合、接触部９の裏面に補強用突条９ａを、接触部９の先端の折り返しの部分から屈曲部１３の箇所を含めて接触部９の両側の部分にも設けられているので、接触部９の機械的強度が増加し、天井側よりの物体２１で押圧されても接触部９の異常な変形を防止することができる。
【００１９】
各ストッパー部２２に、ハウジング３の開口部１５側からコンタクト収容室１６内へコンタクト２を収容する時に各コンタクト引っ掛け部１４をスライドさせる傾斜面２２ａが設けられているので、各コンタクト引っ掛け部１４が傾斜面２２ａでスライドして支障なくコンタクト２をコンタクト収容室１６内へ収容することができる。
【００２０】
また、第１湾曲部１１と第２湾曲部１２との間の弾性変形部１０の幅方向の両側に、変位規制用突起２３が突設されているので、コンタクト２の接触部９がコンタクト収容室１６内へ押されたとき、コンタクト２の弾性変形部１０が異常に圧縮されるのを、弾性変形部１０の幅方向の両側の変位規制用突起２３がハウジング３の段部１６ｃに当たって阻止することができる。
【図面の簡単な説明】
【００２１】
【図１】本発明に係るコネクタの一実施例の正面図である。
【図２】図１のＡ−Ａ線断面図である。
【図３】（Ａ）は本例で用いるコンタクトの正面図、（Ｂ）は（Ａ）の左側面図、（Ｃ）は（Ａ）の右側面図、（Ｄ）は（Ａ）の平面図である。
【図４】（Ａ）は本例で用いるハウジングの正面図、（Ｂ）は（Ａ）の平面図、（Ｃ）は（Ａ）の底面図、（Ｄ）は（Ａ）のＢ−Ｂ線断面図である。
【図５】本例のコネクタの動作説明図である。
【図６】従来のコネクタの正面図である。
【図７】図６のＣ−Ｃ線断面図である。
【図８】従来のコネクタの動作説明図である。
【符号の説明】
【００２２】
１  コネクタ
２  コンタクト
３  ハウジング
３ａ  前面
４  プリント配線基板
５  端子部
６  保持部
７  バッテリーパック
８  電極部
９  接触部
９ａ  補強用突条
１０  弾性変形部
１１  第１湾曲部
１２  第２湾曲部
１３  屈曲部
１４  コンタクト引っ掛け部
１５  開口部
１６  コンタクト収容室
１７  前面開口部
１８  へたり防止用突起
１９  位置決め突起
２０  バッテリー収容室
２１  物体
２２  ストッパー部
２２ａ  傾斜面
２３  変位規制用突起
２４  固定溝
【図１】
2008166198.tif 000003
【図２】
2008166198.tif 000004
【図３】
2008166198.tif 000005
【図４】
2008166198.tif 000006
【図５】
2008166198.tif 000007
【図６】
2008166198.tif 000008
【図７】
2008166198.tif 000009
【図８】
2008166198.tif 000010